(57)【要約】【課題】外出するときは複雑な作り方は不必要であり、ペットボトルに液状のコーヒーを入れるために、「粉状のコーヒー」「砂糖」「粉ミルク」を撹拌して作るが、十分な成果をあげる機器はなく不便をして来た。ベットボトルを持って、外出するためには中に入っている液体が冷たい方が良く、液体コーヒーつくり器を提供する。【解決手段】コーヒーつくり器本体も、お椀状の入れ口部も半透明の合成樹脂を使用して、コーヒーつくり器本体の上部に、お椀状の入れ口部を設け、本体とお椀状の入れ口部の接する部分は固結し、一体化した。縦にしたコーヒーつくり器本体の中間に縦長長方形の内部確認用の窓を設け、その内部にペットボトルに入れる丸筒を設け、既存のペットボトルを内部に入れたときに、ペットボトルに差し込む丸筒のずれがないか、確認するため内部確認用窓から確認出来る事を特徴とする。【選択図】図１
2019193757.tif 000002
【特許請求の範囲】
【請求項１】
コーヒーつくり器本体（１）も、お椀状の入れ口部（２）も半透明の合成樹脂を使用して、液体コーヒーつくり器本体（１）の上部に、お椀状の入れ口部（２）を設け、前記本体（１）とお椀状の入れ口部（２）の接する部分は固結し、一体化して、縦にしたコーヒーつくり器本体（１）を正面から見て、中間に縦長長方形の内部確認用の窓（６）を設け、その内部にペットボトルに入れる丸筒（４）が見えるようにペットボトルに差し込む丸筒（４）を設け、既存のペットボトル（８）を内部に入れたときに、ペットボトルに差し込む丸筒（４）のずれがないか、確認するため内部確認用窓（６）から確認出来るようしたことを特徴とするコーヒーつくり器。
【請求項２】
半透明の素材から、透明の合成樹脂に代えて製造することが出来る請求項１記載のコーヒーつくり器。
【発明の詳細な説明】
【技術分野】
【０００１】
本発明は、粉状のコーヒー、砂糖、粉ミルクをミックスしたものを、コーヒーつくり器を使用して水分を加えて液体のコーヒーをつくる事が出来るコーヒーつくり器に関する。
【背景技術】
【０００２】
従来、粉状のコーヒーをコーヒーカップに、砂糖、粉ミルクも同時に入れてお湯を入れてスプーンで撹拌して作って処理してきた。
［特許文献１］特開２０１６−６４１４５号（コーヒー飲料を準備するためのシステム）、
［特許文献２］特表２０１７−５０５６４１号（ハンドドリップコーヒータンブラー）、
［特許文献３］実用新案登録第３１４３３１９号（コーヒー製造装置）、特許公報に開示されている。
【先行技術文献】
【特許文献】
【０００３】
【特許文献１】特開２０１６−６４１４５号公報
【特許文献２】特表２０１７−５０５６４１号公報
【特許文献３】実用新案登録第３１４３３１９号公報
【発明の概要】
【発明が解決しようとする課題】
【０００４】
従来、家庭で液体のコーヒーをつくる時は、コーヒーカップに粉状のコーヒーを入れ更に砂糖、粉ミルクを入れで熱湯を入れてスプーンで撹拌して飲むのが一般的である。
しかし、外出するときは複雑な作り方は不必要であり、ペットボトルに液状のコーヒーを入れるために、「粉状のコーヒー」「砂糖」「粉ミルク」を撹拌して作るが、十分な成果をあげる機器はなく不便をして来た。
ベットボトルを持って、外出するためには中に入っている液体が冷たい方が良く、何とか上手く行くコーヒー、砂糖、粉ミルク、水を加えて「液体で持ち歩きに都合がいい」コーヒーつくり器を開発する事が課題である。
【課題を解決するための手段】
【０００５】
課題を解決するために本発明は，以下の構成とした。
コーヒーつくり器本体（１）も、お椀状の入れ口部（２）も半透明の合成樹脂を使用して、コーヒーつくり器本体（１）の上部に、お椀状の入れ口部（２）を設け、前記本体（１）とお椀状の入れ口部（２）の接する部分は固結し、一体化した。
縦にしたコーヒーつくり器本体（１）を正面から見て中間に縦長長方形の内部確認用の窓（６）を設け、その内部にペットボトルに入れる丸筒（４）を設け、既存のペットボトル（８）を内部に入れたときに、ペットボトルに差し込む丸筒（４）
のずれがないか、確認するため内部確認用窓（６）から確認出来るようにした。
「図４、図５」
【０００６】
コーヒーつくり器本体（１）のお椀状の入れ口部（２）の上部に取っ手（３）を設け、図２のように平面から見て中心部に、お椀状の丸排出穴（５）も設けた。
【発明の効果】
【０００７】
１．液体コーヒーをつくる事が極めて便利である。
２．ペットボトルに入れるため、液体コーヒーをつくり、コーヒー・砂糖・粉ミルクをミックスして自宅でも必要時に、また、外出中でもペットボトルに入れた、コーヒーを何時でも必要に応じて飲むことが出来るため、大変便利である。
【図面の簡単な説明】
【０００８】
【図１】コーヒーつくり器の正面図
【図２】お椀状の入れ口部平面図
【図３】コーヒーつくり器を横状にした説明図
【図４】コーヒーつくり器に空状のペットボトルをセットした右側面図
【図５】ペットボトルが倒れないように下部にコーヒーカップをセットした右側面図
【発明を実施するための形態】
【０００９】
以下，本発明を実施するための最良の形態について説明する。
コーヒーつくり器本体（１）も、お椀状の入れ口部（２）も半透明の合成樹脂を使用して、液体コーヒーつくり器本体（１）の上部に、お椀状の入れ口部（２）を設け、前記本体（１）とお椀状の入れ口部（２）の接する部分は固結し、液体の漏れが生じないように一体化した。
縦にしたコーヒーつくり器本体（１）を正面から見て中間に縦長長方形の内部確認用の窓（６）を設け、その内部にペットボトルに入れる丸筒（４）が見えるようにペットボトルに差し込む丸筒（４）を設け、既存のペットボトル（８）を内部に入れ
たときに、ペットボトルに差し込む丸筒（４）のずれがないか、確認するため内部確認用窓（６）から確認出来るようにした。「図４、図５」
【００１０】
コーヒーつくり器本体（１）のお椀状の入れ口部（２）の上部に取っ手（３）を設け、前記取っ手（３）をつかんでズレ防止をしながら作業が出来るようにした。
図２のように平面から見て中心部に、お椀状の丸排出穴（５）も設けた。
【００１１】
コーヒーつくり器の使用方法として、図５の左側にある既存のコーヒー入れ瓶（９）にコーヒー・砂糖・粉ミルクを入れて撹拌する。
既存のペットボトル（８）を縦状に置き、液体コーヒーつくり器（１）を被せて、内部確認用窓（６）から、ペットボトルに入れる丸筒（４）が既存のペットボトルの先端に入っているかを確認して、良ければお椀状の入れ口部（２）から撹拌した物を入れる。
ペットボトルに適当な量が入ったら、水を入れる。
既存のペットボトル（８）を取り出して栓を硬く締めて上下に振ると完全に撹拌される。
【００１２】
人間の口から入れる飲み物をつくるため、内部に不潔な物、色などが確認出来る事が重要である。従って素材は半透明、又は透明が絶対必要である。
【００１３】
素材は、半透明の合成樹脂を、透明の合成樹脂に変えて製造することが出来る。
【符号の説明】
【００１４】
（１）     コーヒーつくり器本体
（２）     お椀状の入れ口部
（３）     取っ手
（４）     ペットボトルに入れる丸筒
（５）     お椀状の排出穴
（６）     内部確認用窓
（７）     本体下部開放部
（８）      既存のペットボトル
（９）      既存のコーヒー入れ瓶
（１０）     既存のコーヒーカップ
【図１】
2019193757.tif 000003
【図２】
2019193757.tif 000004
【図３】
2019193757.tif 000005
【図４】
2019193757.tif 000006
【図５】
2019193757.tif 000007